(57)【特許請求の範囲】
【請求項１】
互に離間して対向する側壁と、この側壁間を連結する梁と、上記両側壁の外面に夫々取り付けた透水フィルターと、上記両側壁の透水フィルター同志を導水可能に連通する連通手段と、上記透水フィルターと上記連通手段間に形成された間隙層と、上記透水フィルターと上記間隙層間に配置されたスクリーンとより成ることを特徴とする地中構造物構築用ケーソン。
【請求項２】
上記連通手段が透水フィルターより成ることを特徴とする請求項１記載の地中構造物構築用ケーソン。
【請求項３】
上記間隙層が透水フィルターによって充填されていることを特徴とする請求項１または２記載の地中構造物構築用ケーソン。
【請求項４】
上記側壁の外面に取り付けた透水フィルターの外面が保護板によって覆われていることを特徴とする請求項１、２または３記載の地中構造物構築用ケーソン。
【請求項５】
上記保護板がシートであることを特徴とする請求項４記載の地中構造物構築用ケーソン。
【請求項６】
上記保護板が地上に引き上げ可能であることを特徴とする請求項４または５記載の地中構造物構築用ケーソン。
【請求項７】
上記シートが上記側壁に設けられたシート収納マガジン内に巻回されており、上記シートが、上記シート収納マガジンから引き出され、上記側壁外面の透水フィルターを覆うことを特徴とする請求項５または６記載の地中構造物構築用ケーソン。
【請求項８】
上記保護板の下端部外面をカバーするため上記側壁下部に設けた保護板下端部カバーを更に有することを特徴とする請求項４、５、６または７記載の地中構造物構築用ケーソン。
【発明の詳細な説明】
【０００１】
【発明の属する技術分野】
本発明は地中構造物構築用ケーソン、特に、連続して延びるトンネル等の地下構造物を構成するために用いる地下水流遮断防止手段を有するケーソンに関するものである。
【０００２】
【従来の技術】
図１０は従来の地中構造物構築用ケーソンを示し、１は地下構造物、例えばトンネルの壁を形成するため長手方向に複数個連設されるケーソン、２は横方向に互に離間した側壁、３は各ケーソン１の側壁２，２の下端刃先、４ａ，４ｂは上記側壁２，２間を連結する底版梁及び頂版梁、５は地盤、６はケーソン１の底部の地盤５に打設した水中コンクリートである。
【０００３】
上記各ケーソン１は地上で分割構築し、地中に沈設し、隣接するケーソン間に山留め壁等を築造した後に、地盤改良工や圧気工等によって地下水の湧出を防止しつつ掘削し、この後ケーソン相互の連結を行ない、埋め戻し及び山留め壁等の撤去を行なっている。
【０００４】
【発明が解決しようとする課題】
然しながら上記従来のケーソンでは、潜函工法によりケーソンを帯水層内に築造した場合等、このケーソンが地盤内の地下水の自然な流下を阻害し、上流側の水位が上昇し、下流側の水位が低下し、地盤沈下や井戸水の枯渇など、周辺環境に大きな影響を及ぼす問題点がある。
【０００５】
本発明はこのような問題を除くようにしたものである。
【０００６】
【課題を解決するための手段】
本発明の地中構造物構築用ケーソンは、互に離間して対向する側壁と、この側壁間を連結する梁と、上記両側壁の外面に夫々取り付けた透水フィルターと、上記両側壁の透水フィルター同志を導水可能に連通する連通手段と、上記透水フィルターと上記連通手段間に形成された間隙層と、上記透水フィルターと上記間隙層間に配置されたスクリーンとより成ることを特徴とする。
【０００７】
上記連通手段は透水フィルターより成ることを特徴とする。
【０００８】
上記間隙層は透水フィルターによって充填されていることを特徴とする。
【０００９】
上記側壁の外面に取り付けた透水フィルターの外面は保護板または孔あきシートによって覆われていることを特徴とする。
【００１０】
上記保護板は地上に引き上げ可能であり、その下端部外面が上記側壁下部に設けたカバーによってカバーされていることを特徴とする。
【００１１】
上記シートは上記側壁に設けられたシート収納マガジン内に巻回されており、上記シートが、上記シート収納マガジンから引き出され、上記側壁外面の透水フィルターを覆うことを特徴とする。
【００１２】
【発明の実施の形態】
以下図面によって本発明の実施例を説明する。
【００１３】
本発明を適用する地中構造物は、図１〜図３に示すように、ケーソン１の各側壁２の外面にその上部から下端刃先３の基部に至る迄、所定の幅で外側から内側に向かって順次に薄鋼板等の保護板７と、透水フィルター８と、間隙層９を形成し、互に対向する上記一方の側壁２の上記間隙層９と、他方の側壁２の間隙層９を導水可能に結ぶ連通管１０を上記側壁２及び底版梁４ａを通して設ける。
【００１４】
上記のような地中構造物構築用ケーソンは、地下水の高い側から上記透水フィルター８、間隙層９、連通管１０を介して地下水の低い側に地下水が流れるようになり、ケーソンを沈潜しても地下水流の自然な流下を保証することができる。
【００１５】
上記連通管１０は底版梁４ａの代わりに、またはこれに加えて頂版梁４ｂに設けても良く、また、図４に示すように上記連通管１０内には玉砂利等より成る透水フィルター１１を充填して連通管１０内を流れる地下水の流速を制限するようにしても良い。
【００１６】
本発明においては図５に示すように上記透水フィルター８と間隙層９との間にスクリーン１２を介挿せしめる。
【００１７】
更に、図６に示すように上記間隙層９内に透水フィルター１３を充填しても良い。
【００１８】
なお、上記透水フィルター８の外側の保護板７は、ケーソン沈設時の地盤５との摩擦によって透水フィルター８が破損することを防止するものであり、このまま残置するのであればこの保護板７は通水性を持つ材料とすることが必要である。このため例えば保護板として孔あき板を使用すれば良い。
【００１９】
然しながら、沈設中に地盤５の細粒土分がこの孔を塞いでしまう恐れがある。この目詰まりは沈設途中の粘土層内で特に生じる。
【００２０】
従って、沈設完了後には、この保護板７を撤去することが可能なようにしておくのが好ましい。
【００２１】
なお、このように撤去可能とした場合には孔のない保護板の使用も可能となる。
【００２２】
また、ケーソンを沈潜する際、地盤５との摩擦により側壁２の外側の保護板７及び透水フィルター８が剥がれるようになる恐れがあるが、図２及び図３に示すように側壁２の下部に設けた貫通孔１４を介してＰＣケーブル１５により保護板７を側壁２の内側に引張し、側壁の内側で定着金具１６で固定するようにすればこれを防ぐことができる。
【００２３】
また、図７に示すように側壁２内に埋め込んだ定着鉄筋１６′によって側壁２の下部から突出せしめたカバー１７によって保護板７の下端部外面をカバーせしめても良い。
【００２４】
図８及び図９の実施例においては上記側壁２の下端部に保護用シート１８を巻回収納したシート収納マガジン１９を埋設し、このシート収納マガジン１９から引き出した保護用シート１８を上記保護板７の代りに上記透水フィルター８と地盤５間に介在せしめ、ケーソンの沈降に応じて上記保護用シート１８を繰り出す。このようにすれば、上記透水フィルター８を上記地盤５から隔離でき、また上記保護用シート１８は地盤５にこすられることがないのでこれを極薄板にでき、または、ジオテキスタイル材料で形成できる。
【００２５】
この実施例によれば、ケーソン沈降の際の透水フィルター８の破損を未然に防止することができる。
【００２６】
【発明の効果】
上記のように本発明の地中構造物構築用ケーソンによれば、ケーソン潜函による地下水の遮断を阻止し、地下水流の自然な流下を確保することができる。
【００２７】
また、シート収納マガジンを用いれば、ケーソン沈降の際、透水フィルターを保護することができる。
【図面の簡単な説明】
【図１】  地中構造物構築用ケーソンの縦断正面図である。
【図２】  図１に示すケーソンの要部を示す縦断正面図である。
【図３】  図１に示すケーソンの要部の横断平面図である。
【図４】  他のケーソンの要部を示す縦断正面図である。
【図５】  本発明の地中構造物構築用ケーソンの要部の横断平面図である。
【図６】  本発明の他の実施例のケーソンの要部を示す横断平面図である。
【図７】  本発明の他の実施例のケーソンの要部を示す縦断正面図である。
【図８】  本発明の他の実施例のケーソンの要部を示す縦断正面図である。
【図９】  図８に示すケーソンの要部を示す横断平面図である。
【図１０】  従来の地中構造物構築用ケーソンの正面図である。
【符号の説明】
１    地下構造物（ケーソン）
２    側壁
３    下端刃先
４ａ  底版梁
４ｂ  頂版梁
５    地盤
６    水中コンクリート
７    保護板
８    透水フィルター
９    間隙層
１０    連通管
１１    透水フィルター
１２    スクリーン
１３    透水フィルター
１４    貫通孔
１５    ＰＣケーブル
１６    定着金具
１６′  定着鉄筋
１７    カバー
１８    保護用シート
１９    シート収納マガジン
【図１】
0003960690.tif 000002
【図２】
0003960690.tif 000003
【図３】
0003960690.tif 000004
【図４】
0003960690.tif 000005
【図５】
0003960690.tif 000006
【図６】
0003960690.tif 000007
【図７】
0003960690.tif 000008
【図８】
0003960690.tif 000009
【図９】
0003960690.tif 000010
【図１０】
0003960690.tif 000011